(57)【要約】【課題】糸絡みのない簡単にイカ釣り針１２を掛けはずしの出来る針掛面９，１０をもち、コンパクトに収納でき、高さの自在調節ができるイカ釣り針掛器を提供することである。【解決手段】  舟べり１５から垂直に立てる為の支柱１とこの支柱１の先端部から水平に伸びる腕木２からなる針掛器であって、この腕木２は平板の形状又は、底辺１１が水平で頂点８が上にある、三角錐の形状で、この平板の両面又は三角すいの少なくとも、底辺１１を除く、二面９，１０の表面が柔軟素材で形成されているイカ釣り針掛器。【選択図】図１
2005143481.tif 000002
【特許請求の範囲】
舟べり（１５）から垂直に立てる為の支柱（１）とこの支柱（１）の先端部から水平に伸びる腕木（２）からなる針掛器であって、この腕木（２）は、平板の形状又は底辺（１１）が水平で頂点（８）が上にある三角錐の形状で、この平板の両面又は三角錐の少なくとも底辺（１１）を除く二面（９、１０）の表面が柔軟素材で形成されていることを特徴とするイカ釣り針掛器。
【発明の詳細な説明】
【技術分野】
【０００１】  この発明は複数のイカ釣り針１２を糸絡みのないように掛ける為のイカ釣り針掛器に関する。
【背景技術】
【０００２】  従来舟べりに麻袋や発泡スチロール等を横長方向に平面に並べてイカ釣り針を掛けていた。その為、海から引上げたイカ釣り針が掛けにくく掛けたイカ釣り針がよく外れ、釣り糸に連なっている次のイカ釣り針や釣り糸と絡み合い元に戻すのに非常な苦労を費やしていた、この問題を解決する為いろいろな提案がなされている。【０００３】  例えば特開２００３−２３９４０号公報で提案されたイカ釣り針保持具では、釣り針の投入回数が多くなるにつれて仕掛の糸がよじれ糸絡みのトラブルにつながる可能性が大である。【０００４】  また特開２００１−２８９９２号公報での提案のイカ角支持具では、イカの取込み時にイカ針を付けている仕掛の間隔が長い場合、両手が使用出来ないので支持具の操作は困難である。【０００５】  特開２００３−２３９４０、特開２００１−２８９９２の提案はともに一般的に昼釣（ポイントを移動しながら釣る流し釣り）で、他の釣り人より速く仕掛を投入する事に関するものであり、夜釣り（一般的には、ポイント移動しない釣り）には無意味であり、使い難いものである。
【特許文献１】特開２００３−２３９４０号公報
【特許文献２】特開２００１−２８９９２号公報
【発明の開示】
【発明が解決しようとする課題】
【０００６】  本発明は上記で述べた弱点を直す為になされたものであり、つり針掛け面９，１０の形状、収納性と作業性等を向上させたイカ釣り針掛器を提供する事である。
【課題を解決するための手段】
【０００７】  本発明のイカ釣り針掛器は、舟べり１５から垂直に立てる為の支柱１とこの支柱１の先端部から水平に伸びる腕木２からなる針掛器であって、この腕木２は、平板の形状、又は底辺１１が水平で頂点８が上にある三角錐の形状で、この三角錐の少なくとも底辺１１を除く、二面９，１０の表面が柔軟素材で形成されていることを特徴とする。【０００８】  本発明でいう支柱１とは、例えば金属製で舟べり１５に垂直に立てて高さを伸縮出来るようにしてあるのが好ましい。
腕木２は平板の形状であっても底辺１１が水平で頂点８が上にある三角錐形状であってもよい。宛木２が平板の形状である場合には、平板の平面部が略垂直に向いていることが好ましい。腕木２に用いる材料は、例えば木材、金属、プラスチックなどがあげられる。三角錐形状とする場合は、針金や金属製丸棒で形成した中空体でもよく木材やプラスチックで作った中実体でもよい。
腕木２が三角錐の場合、底辺１１が水平で頂点８が上にある形状になされている。この頂点８での角度θとしては、イカ釣り針１２の刺し易さから、１０度〜７０度の範囲が好ましい。本発明は、平板の両面又は底辺１１が水平で頂点８が上にある三角錐の少なくとも底面１１を除く二面９，１０を形成する柔軟素材としては、イカ釣り針１２を刺すのが容易な素材であればよく、例えば、スポンジ、布、不織布、フェルトなどがあげられる。
【発明の効果】
【０００９】  本発明のイカ釣り針掛器具の腕木２を海側に出るように設置すれば、作業するにあたって針掛面９，１０が邪魔にならずその針掛面９，１０も角度θを付けている為、単純な手の上下に動かす動作のみで確実にイカ釣り針１２が針掛面９，１０に掛けられる。又、二本竿を使用する場合には、針掛器を二本の竿の中間にセットする事により針掛面９，１０の両面からイカ釣り針１２を掛けることが出来る。又、同船の釣り人との糸絡みのトラブルがよくあるが、針掛器に掛けたイカ釣り針１２は引っ張ってもはずれない為、順序良く糸絡みを解く事が出来、昼、夜釣りに非常に効果があり便利である。
【発明を実施する為の最良の形態】
【実施例】
【００１０】  以下発明の実施例を図面を用いて説明する。
図１は支柱１の下部には図のような金属製取付部１７を設け舟べり１５に取り付けた説明図である。
支柱１を締付け器具１４で舟べり１５に固定し、支柱１の中間に設けた伸縮部５でその高さを調節するようになっていて、必要な高さで伸縮部５をネジ４で固定するようになっている。【００１１】  支柱１の先端部から水平に伸びる腕木２としては太さ５ミリの金属製の丸棒３本で中空状の三角錐を形成させこれをヒンジ６で支柱１に接合した。
前記支柱１と腕木２とはヒンジ６で接合されていて腕木２はヒンジ６を中心として反対側に２７０度回転することにより支柱１と腕木２とは平行になりコンパクトに折りたためる。蝶ネジ３は締付け器具１４と１７と支柱１とを固定する為のものである。【００１２】  また支柱１と腕木２との接合には、ヒンジ６に限らず、ボルト・ナットで接合したり、差し込みにより固定することも出来る。【００１３】  針掛面の相対するこの三角錐の二面９，１０では形成する頂角（図のθ）は３０度の角度が付けられている為、針を掛ける時手の動作がごく自然に上から下へ動かすだけで針掛面９，１０に確実に掛けることが出来るので素早く作業が出来る。又、針掛面９，１０の素材としては厚さ１０ミリ前後の不織布が好ましい。【００１４】  図１では針掛面９，１０が舟べり１５から海方向にせり出して設けられているが舟べり１５の内側に入り込んだ状態に設けても良い。
【実施例１】
【００１５】  以下、図１は支柱の１下部に図のような金属製取付部１７を設け舟べり１５に取り付けた実施例を図面を用いて説明する。
本実施例では、支柱１の寸法サイズは断面が縦２５ｍｍよこ１０ｍｍのＣ形チャンネルで長さ２８０ｍｍで、これを長さ３４０ｍｍで、断面が支柱１よりも少し大きい支柱１の下部１８に差し込み、支柱１と支柱１の下部１８とは、支柱伸縮部５で上下高さを調節できネジ４で固定するようになっている。
前記支柱１と腕木２とは組立てた状態ではヒンジ６を中心として９０度に固定されて、腕木２は水平になり運搬時は使用時と反時計回りに２７０度回転することにより支柱１と腕木２とはヒンジ６を挟んで平行に納りコンパクトに折りたため運搬に便利なようにした。
蝶ネジ３は取付部１７と支柱下部１８を固定する為のものであり、取付部を舟べり１５に取り付ける時はネジ１４で調節する。
また、支柱１と腕木２との接合にはヒンジ６に限らずボルト、ナットで接合したり、差し込みにより固定することも出来る。
この三角錐の針掛面の相対する二面９と１０では、形成する頂角（図のθ）は３０度とし、針掛面９と１０には厚さ１０ｍｍの不織布で被覆した。
図１では針掛面９と１０が舟べり１５から海方向にせり出して設けられているが舟べり１５の内側に入り込んだ状態に設けても良い。
【図面の簡単な説明】
【００１６】
【図１】本発明のイカ釣り針掛器具の実施の形態を示した説明図である。
【符号の説明】
【００１７】１、１８支柱
２腕木
３、４、７蝶ネジ
５支柱伸縮部
６ヒンジ
８頂点
９、１０針掛面
１１三角錐の底面
１２イカ釣り針
１３釣り糸
１４締付けネジ
１５舟べり
１７取付部
【図１】
2005143481.tif 000003